(57)【要約】【課題】原子炉内機器を傾かせることなく確実に吊持することができる吊持装置を提供する。【解決手段】昇降デッキ４０および吊持支持フレーム６０を昇降させるワイヤロープ式巻上機３４は、その巻取ドラムを複数の駆動手段によって個別に回転駆動するとともに、一つの巻取ドラムに巻き付けた複数のワイヤロープ３５により昇降デッキ４０を吊り下げる構造でありから、原子炉内機器を確実に吊持することができる。また、昇降デッキ４０を上側デッキ４１および下側デッキ４２に分割するとともに、両者を揺動自在に連結する連結手段５０より連結する構造であるから、原子炉内機器を傾かせることなく吊持することができる。さらに、その構造は極めて簡単であるから、吊持作業完了後の除染を容易に行うことができる。【選択図】  図１
2004205459.tif 000002
【特許請求の範囲】
【請求項１】
原子炉圧力容器の内部に収納された機器を上方から吊持するための装置であって、
原子炉建屋の天井クレーンにより吊り下げられる、ワイヤロープ式巻上機が設けられたホイストデッキと、
前記ワイヤロープ式巻上機から繰り出されるワイヤロープにより吊り下げられて前記ホイストデッキに対し昇降する昇降デッキと、
湾曲自在な吊下手段によって前記昇降デッキから吊り下げられた、吊持する機器を支持するための支持フレームと、
吊持する機器に設けられた吊り耳と係脱自在に係合する、前記支持フレームに設けられた係合手段と、
を備えること特徴とする原子炉内機器用吊持装置。
【請求項２】
前記昇降デッキは、
前記ワイヤロープにより吊り下げられる上側デッキと、
前記上側デッキの下方に配設されるとともに前記吊下手段の上端が接続される下側デッキと、
前記上側デッキに対して前記下側デッキを相対揺動自在に連結するための連結手段と、を備え、
前記連結手段は、水平に延びつつ前記上側デッキと係合する第１の揺動軸と、上方から見たときに前記第１の揺動軸と直交するように水平に延びつつ前記下側デッキに係合する第２の揺動軸と、を有している、
ことを特徴とする請求項１に記載した原子炉内機器用吊持装置。
【請求項３】
前記ワイヤロープ式巻上機は、前記ワイヤロープを巻取る巻取ドラムと、この巻取ドラムを個別に回転駆動可能な複数の駆動手段と、を有していることを特徴とする請求項１または２に記載した原子炉内機器用吊持装置。
【請求項４】
前記ワイヤロープ式巻上機は、巻取ドラムに個別に巻き取られている複数の前記ワイヤロープにより前記昇降デッキを吊り下げることを特徴とする請求項１または２に記載した原子炉内機器用吊持装置。
【請求項５】
前記ホイストデッキは、保管場所の床面に着地して前記ホイストデッキを前記昇降デッキの上方に支持する支持脚を有していることを特徴とする請求項１乃至４のいずれかに記載した原子炉内機器用吊持装置。
【請求項６】
前記係合手段の周囲を照明するための照明手段をさらに備えることを特徴とする請求項１乃至５のいずれかに記載した原子炉内機器用吊持装置。
【発明の詳細な説明】
【０００１】
【発明の属する技術分野】
本発明は、沸騰水型原子炉の圧力容器内に設置されているドライヤ若しくはシュラウドヘッド等の原子炉内機器を吊持するための原子炉内機器用吊持装置に関し、より詳しくは、原子炉内機器を傾斜させることなく、かつ昇降機構が故障した際にも原子炉内機器を確実に吊持することができるとともに、構造が簡単で容易に除染することができ、さらには保管に必要なスペースを減少させることができるように改良された原子炉内機器用吊持装置に関する。
【０００２】
【従来の技術】
従来、沸騰水型原子炉の圧力容器の内部には多数の燃料集合体が装荷されており、これらの燃料集合体によって炉心が構成されている。また、図５に示したように、炉心１を構成する多数本の燃料集合体（図示せず）は、その下部が炉心支持板２によって支持されるとともに、その上部が上部格子板３によって支持されている。そして、炉心シュラウド４の頂部はシュラウドヘッド５で覆われており、このシュラウドヘッド５によって炉心上部にプレナム５ａが形成されている。
【０００３】
シュラウドヘッド５には多数のスタンドパイプ６が立設されており、各スタンドパイプ６の頂部には気水分離器７が接続されている。この気水分離器７は、炉心１で加熱されて二相流となった炉水の気液分離を行い、分離した蒸気をドライヤ（図示せず）に送るようになっている。
【０００４】
原子炉を運転するときには、核燃料の核分裂反応により発生した熱によって炉心１の圧力及び温度が上昇し、シュラウドヘッド５に対して内圧が作用する。また、地震発生時にはシュラウドヘッド５、スタンドパイプ６等に対して転倒荷重が作用する。そこで、これらの内圧や転倒荷重に耐えるために、シュラウドヘッド５は数十本のシュラウドヘッドボルト８によってシュラウド４に締結されて固定されている。
【０００５】
原子炉の定期点検や燃料交換を行うときには、まず初めに長尺のシュラウドヘッドボルトレンチを用いて燃料交換機上からシュラウドヘッドボルト８の締結を解除する。しかる後、原子炉建屋の天井クレーンの主巻きフックで吊った吊持装置を原子炉圧力容器内に吊り込み、吊持装置でシュラウドヘッド５をつかんだ後原子炉圧力容器内から吊り上げて機器貯蔵プールへ移送する。
【０００６】
このとき、シュラウドヘッド５を吊り上げる天井クレーンのフックおよびワイヤロープが放射能を含む炉水中に没すると、汚染がオペレーションフロア上に拡大してしまう。そこで、シュラウドヘッド５の吊り上げ作業を行う際には、まず初めに原子炉ウエル内の炉水の水位をある程度まで下げておき、しかる後に吊持装置を原子炉圧力容器内に吊り込んでシュラウドヘッド５をつかむようにする。そして、炉水の水面と天井クレーンのフックとの間隔を適度に保持するようにして、原子炉ウエル内の炉水の水位を徐々に上げながらそれに合わせてシュラウドヘッド５を徐々に上昇させる。
【０００７】
また、取り外したシュラウドヘッド５を再び炉内に設置する際には、取り外し作業のときとは反対に、炉水の水位を徐々に下げながらそれに合わせてシュラウドヘッド５を徐々に降下させる。
【０００８】
ところが、上述したシュラウドヘッド５の取り外しおよび取り付け作業においては、原子炉ウエルの炉水の昇降速度にあわせてゆっくりとシュラウドヘッド５を昇降させなければないので、作業に長時間を要するという問題があった。そこで、シュラウドヘッド５の取り外し及び取り付け作業の作業時間の短縮を図るために、図６に示した原子炉内機器用吊持装置１１が提案されている。
【０００９】
図６に示した吊持装置１１は、原子炉ウエルが満水状態であっても天井クレーンのフック１２やワイヤロープを水没させることなく、水中にてシュラウドヘッド５を取り扱うことができるようにしたものであり、フックボックス１３および吊りワイヤ１４を介して天井クレーンのフック１２に吊り下げられる支持フレーム１５を備えている。
【００１０】
支持フレーム１５の下方には昇降フレーム１６が設けられており、この昇降フレーム１６は昇降装置１７によって支持フレーム１５に対して昇降させることができる。この昇降装置１７は、ローラネジで構成された４本の昇降用駆動軸１８を有しているが、これらの昇降用駆動軸１８の下端部は連結軸１９を介して昇降フレーム１６の端部上面に接続されている。
【００１１】
また、各昇降用駆動軸１８は支持フレーム１５の端部上面に設けられた各ギヤボックス２０に挿通され、かつ各ギヤボックス２０は各ギヤ駆動軸２１を介して昇降用駆動部２２に連結されている。なお、昇降用駆動部２２は、動力モータ（図示せず）及びウォーム減速機（図示せず）から構成されている。
【００１２】
一方、昇降フレーム１６の下面に取り付けられたシリンダ２３のピストンロッド２４は連結ピン２５に接続され、この連結ピン２５を位置決め部材２６に形成されているピン挿入孔（図示せず）に挿抜させることができる。
【００１３】
図６に示した吊持装置１１を用いてシュラウドヘッド５等の原子炉内機器を原子炉圧力容器内から吊り上げる際には、原子炉ウエルを満水状態としたまま、天井クレーンのフック１２によって吊持装置１１を原子炉圧力容器の上方から吊り下げる。そして、天井クレーンを操作して吊持装置１１を原子炉内機器に着床させる。このとき、支持フレーム１５と昇降フレーム１６との間の間隔を十分に大きくすることにより、天井クレーンのフック１２及びワイヤロープ（図示せず）が炉水に没しないようにすることができる。
【００１４】
一方、上述した吊持装置１１とは構造が全く異なり、ワイヤロープ若しくはチェーンを用いる動力駆動型のホイストにより原子炉内機器を吊持する吊持装置も提案されている（例えば、特許文献１参照）。
【００１５】
【特許文献１】
特開平１１−８４０６７号公報
【００１６】
【発明が解決しようとする課題】
しかしながら、図６に示した従来の吊持装置１１は、昇降装置１７を構成する昇降用駆動部２２、ギヤボックス２０、ギヤ駆動軸２１等の構造が複雑であり、炉水中に水没させた後の除染作業が困難である。
【００１７】
また、昇降用駆動軸１８の長さを昇降フレーム１６の昇降ストローク以上の長さ（約６ｍ）に設定する必要があるため、吊持装置１１の全体的な高さが大きくなってその保管場所が制約されてしまう。また、定期点検作業において他の機器を移動させる際に、昇降用駆動軸１８が邪魔になってしまう。
【００１８】
さらに、吊持装置１１を保管するために長尺の昇降用駆動軸１８を取り外した場合には、組み立ての際に４本の昇降用駆動軸１８の上下方向位置を合わせる必要があり、長時間の作業を要してしまう。
【００１９】
また、上述した特許文献１に記載した吊持装置においては、独立して設けられている複数のホイストのうちの一つが故障すると原子炉内機器を昇降させることができなくなる。さらに、複数のホイストのうちの一つのワイヤロープ若しくはチェーンが切断すると、原子炉内機器を吊持することができない。加えて、複数のホイストから繰り出されるワイヤロープ若しくはチェーンの長さが異なると、吊持する原子炉内機器が傾いてしまう。
【００２０】
そこで本発明の目的は、上述した従来技術が有する問題点を解消し、原子炉内機器を傾斜させることなく、かつ昇降機構が故障した際にも原子炉内機器を確実に吊持することができるとともに、構造が簡単で容易に除染することができ、さらには保管に必要なスペースを減少させることができる原子炉内機器用吊持装置を提供することにある。
【００２１】
【課題を解決するための手段】
上記の課題を解決するための請求項１に記載した手段は、
原子炉圧力容器の内部に収納された機器を上方から吊持するための装置であって、
原子炉建屋の天井クレーンにより吊り下げられる、ワイヤロープ式巻上機が設けられたホイストデッキと、
前記ワイヤロープ式巻上機から繰り出されるワイヤロープにより吊り下げられて前記ホイストデッキに対し昇降する昇降デッキと、
湾曲自在な吊下手段によって前記昇降デッキから吊り下げられた、吊持する機器を支持するための支持フレームと、
吊持する機器に設けられた吊り耳と係脱自在に係合する、前記支持フレームに設けられた係合手段と、
を備えること特徴としている。
なお、吊下手段は、ワイヤ、ロープ、ケーブル若しくはチェーンとすることができる。
【００２２】
すなわち、請求項１に記載した原子炉内機器用吊持装置によれば、ホイストデッキおよびワイヤロープ式巻上機は、原子炉建屋の天井クレーンにより吊り下げられて炉水中に没することはない。これに対して昇降デッキ、吊下手段および吊持支持フレームは、ワイヤロープ式巻上機から下方に繰り出されるワイヤロープにより吊り下げられて昇降デッキに対して昇降し炉水に出入りする。
また、ワイヤロープ式巻上機によって昇降デッキ他を昇降させる構造であるから、その構造は極めて簡単であり、吊持作業完了後の除染を容易に行うことができる。
また、昇降デッキ他を昇降させるワイヤロープはワイヤロープ式巻上機の巻取ドラムに巻き取ることができるし、昇降デッキに吊持支持フレームを吊り下げるワイヤロープもまた容易に湾曲させることができるから、保管に必要なスペースを大幅に減少させることができる。
さらに、ワイヤロープ式巻上機によって吊持支持フレームを直接吊り下げるのではなく、昇降デッキを介して吊持支持フレームを吊り下げる構造であるから、吊持する機器の形状に合わせた吊持支持フレームを使用することができる。
【００２３】
また、請求項２に記載した手段は、請求項１に記載した吊持装置における前記昇降デッキが、
前記ワイヤロープにより吊り下げられる上側デッキと、
前記上側デッキの下方に配設されるとともに前記吊下手段の上端が接続される下側デッキと、
前記上側デッキに対して前記下側デッキを相対揺動自在に連結するための連結手段と、を備え、
前記連結手段は、水平に延びつつ前記上側デッキと係合する第１の揺動軸と、上方から見たときに前記第１の揺動軸と直交するように水平に延びつつ前記下側デッキに係合する第２の揺動軸と、を有することを特徴としている。
なお、前記連結手段は、第１および第２の揺動軸のみからなる十字軸とするとともに、第１および第２の揺動軸をそれぞれ上側デッキおよび下側デッキに回動自在に支持することができる。
【００２４】
すなわち、請求項２に記載した原子炉内機器用吊持装置においては、上方から見たときに十字形に配設された第１および第２の揺動軸の作用によって、上側デッキが傾斜しても下側デッキを水平に維持することができる。
これにより、複数のワイヤロープ式巻上機から下方に繰り出されるワイヤロープの長さが異なることにより上側デッキが傾斜しても、吊持する機器を水平に保ったまま移動することができる。
【００２５】
また、請求項３に記載した手段は、請求項１または２に記載した吊持装置における前記ワイヤロープ式巻上機が、前記ワイヤロープを巻取る巻取ドラムと、この巻取ドラムを個別に回転駆動可能な複数の駆動手段とを有することを特徴としている。
なお、駆動手段は、電動モータや油圧モータ、空気圧モータとすることができる。
【００２６】
すなわち、請求項３に記載した原子炉内機器用吊持装置においては、一つの巻取ドラムを例えば一対の駆動モータにより回転駆動するから、一方の駆動モータが故障しても他方の駆動モータにより巻取ドラムを回転駆動することができる。
これにより、一つの駆動モータが故障した緊急時においても、確実に巻取ドラムを回転さてワイヤロープを巻き取り若しくは繰り出すことができるから、機器を確実に吊持して天井クレーンにより搬送することが可能となる。
【００２７】
また、請求項４に記載した手段は、請求項１または２に記載した吊持装置における前記ワイヤロープ式巻上機が、一つの巻取ドラムに個別に巻き取られている複数の前記ワイヤロープにより前記昇降デッキを吊り下げることを特徴としている。
【００２８】
すなわち、請求項４に記載した原子炉内機器用吊持装置においては、一つの巻取ドラムに巻き取られている例えば一対のワイヤロープのうちの一方が切断しても、他方のワイヤロープにより昇降デッキを吊り下げて昇降させることができるから、機器を確実に吊持して天井クレーンにより搬送することが可能となる。
【００２９】
また、請求項５に記載した手段は、請求項１乃至４のいずれかに記載した吊持装置における前記ホイストデッキが、保管場所の床面に着地して前記ホイストデッキを前記昇降デッキの上方に支持する支持脚を有することを特徴としている。
【００３０】
すなわち、請求項５に記載した原子炉内機器用吊持装置においては、天井クレーンを用いて吊持装置を保管場所の床面に降下させると、まず最初に吊持支持フレームが着地する。
さらに吊持装置を降下させると、吊持支持フレームを吊り下げている吊下手段が湾曲しつつ昇降デッキが着地する。
次いで、吊持装置をさらに降下させると、昇降デッキを吊り下げているワイヤロープが湾曲しつつホイストデッキ設けた支持脚の下端が床面に当接し、ホイストデッキを昇降デッキの上方に支持する。
これにより、この吊持装置の保管を容易に行うことができるとともに、ホイストデッキ、昇降デッキを上下方向に重ねることができるから保管に要するスペースをより一層減少させることができる。
【００３１】
また、請求項６に記載した手段は、請求項１乃至５のいずれかに記載した吊持装置が、前記係合手段の周囲を照明するための照明手段をさらに備えることを特徴としている。
なお、照明手段は昇降デッキや吊持支持フレームに設けた電灯とすることができる。
【００３２】
すなわち、請求項６に記載した原子炉内機器用吊持装置は、係合手段の周囲を明るく照明することができるから、吊持する機器に設けられている吊り耳に係合手段を係合させる作業を容易に行うことができる。
【００３３】
【発明の実施の形態】
以下、図１乃至図４を参照し、本発明に係る原子炉内機器用吊持装置（以下、吊持装置と略称）の各実施形態について詳細に説明する。なお、以下の説明においては、同一の部分には同一の符号を用いてその説明を省略する。
【００３４】
まず最初に図１を参照すると、本実施形態の吊持装置１００の最も上部にはホイストデッキ３０が設けられている。
このホイストデッキ３０は鋼材を組み合わせて製造したもので、その本体部分３１は平面視で略正方形状となっている。
また、本体部分３１の中央部分に立設された左右一対の支柱３２間には図示左右方向に水平に延びる支軸３３が掛け渡されているが、原子炉建屋の天井クレーンのフック１２をこの支軸３３に係合させることにより、この吊持装置１００の全体を懸架して搬送することができる。
【００３５】
また、本体部分３１の上面の四隅には、合計４機のワイヤロープ式巻上機３４が固定されている。
これらのワイヤロープ式巻上機３４は、その巻取ドラム（図示せず）に巻き取られているワイヤロープ３５により次述する昇降デッキ４０を昇降させるためのものであるが、以下のような特徴を有している。
【００３６】
まず、これらのワイヤロープ式巻上機３４は、それぞれその一つの巻取ドラムを一対の駆動モータ（図示せず）により個別に回転駆動するようになっている。
これにより、一方の駆動モータが故障しても他方の駆動モータによって巻取ドラムを回転駆動することができるから、一つの駆動モータが故障した緊急時においても、確実に巻取ドラムを回転さてワイヤロープ３５を巻き取り若しくは繰り出して昇降デッキ４０を昇降させることができる。
【００３７】
また、これらのワイヤロープ式巻上機３４は、それぞれその一つの巻取ドラムに個別に巻き取られている一対のワイヤロープ３５により昇降デッキ４０を吊り下げるようになっている。
これにより、一対のワイヤロープ３５のうちの一方が切断しても、他方のワイヤロープ３５により昇降デッキ４０を吊り下げて昇降させることができる。
【００３８】
次に、昇降デッキ４０について説明すると、この昇降デッキ４０は鋼材を組み合わせて製造した平面視で略正方形状の上側デッキ４１および下側デッキ４２を有している。
上側デッキ４１の四隅には、巻上機３４から下方に繰り出されているワイヤロープ３５を巻き付けるシーブ３６がそれぞれ設けられている。
なお、巻上機３４から下方に繰り出されているワイヤロープ３５の下端を上側デッキ４１の四隅に直接的に接続することもできる。
また、下側デッキ４２の四隅には、次述する吊持支持フレーム６０を懸架するためのワイヤロープ６３の上端が接続されている。
【００３９】
さらに上側デッキ４１と下側デッキ４２は、連結手段５０によって相互に連結されている。
この連結手段５０は、図示左右方向に水平に延びるように上側デッキ４１に固定された第１の揺動軸５１と、図示する紙面に対して垂直な方向に水平に延びるように下側デッキ４２に固定された第２の揺動軸５２とを有している。
言い換えると、第１の揺動軸５１および第２の揺動軸５２は、上方から見たときに十字形に組み合わされている。
なお、第１の揺動軸５１および第２の揺動軸５２は、上方から見たときにおけるそれらの交点が天井クレーンのフック１２を吊り下げているワイヤロープ（図示せず）の鉛直方向の真下に来るように配置される。
また、第１の揺動軸５１と第２の揺動軸５２とを連結する連結体５３は、鋼材を組み合わせて製造したものであり、図示されない滑り軸受を介して第１の揺動軸５１および第２の揺動軸５２の両方に揺動自在に嵌合している。
これにより、例えば合計４機の巻上機３４から下方に繰り出されているワイヤロープ３５の長さの不揃いによって上側デッキ４１が傾斜しても、下側デッキ４２を自動的に水平に維持することができる。
【００４０】
次に、吊持支持フレーム６０について説明すると、この吊持支持フレーム６０は鋼材を組み合わせて製造したものであり、そのフレーム本体６１は吊持する機器類の形状に合わせて例えば円形、矩形若しくは正多角形状の枠体若しくは平板とし、あるいはフレーム本体自体を平面視で十字形とすることができる。
また、このフレーム本体６１の隅角部６２には、前述した下側デッキ４２の隅角部にその上端が接続されているワイヤロープ６３の下端が接続されて、昇降デッキ４０が吊持支持フレーム６０を吊り下げている。
なお、ワイヤロープ６３に代えてチェーンを用いることもできる。
【００４１】
すなわち、本実施形態の吊持装置１００は、巻上機３４から垂下するワイヤロープ３５により吊持支持フレーム６０を直接的に吊り下げる構造ではないから、吊持する機器の形状に合わせた吊持支持フレーム６０を使用することができる。
なお、吊持支持フレーム６０を他の形状のものに交換する際には、ワイヤロープ６３の下端を吊持支持フレーム６０に対して着脱すれば良い。
【００４２】
また、吊持支持フレーム６０の隅角部６２には、図２に拡大して示したように、吊持する機器に設けられている吊り耳と係合して吊持支持フレーム６０の昇降を案内するガイドプレート６４が連設されている。
また、フレーム本体６１の下面に取り付けられている油圧シリンダ６５のロッド６６には、ガイドプレート６４に貫設されている挿通孔に挿抜される連結ピン６７が接続されている。
これにより、吊持支持フレーム６０が降下して吊持する機器の吊り耳にガイドプレート６４が着床した後に油圧シリンダ６５のロッド６６を突出させると、機器の吊り耳およびガイドプレート６４の両方に連結ピン６７が係合し、吊持する機器に吊持支持フレーム６０を連結することができる。
【００４３】
なお、図４に示した変形例の吊持装置１００のように、原子炉圧力容器に常設されているガイドロッド６８と係脱自在に係合するガイドプレート６９を吊持支持フレーム６０の隅角部６２に連設しておけば、吊持する機器と吊持支持フレーム６０とを連結する作業をより容易に行うことができる。
さらに、昇降デッキ４０を構成する下側デッキ４２の下面に照明灯７０を設置し、ガイドプレート６４，６９や油圧シリンダ６５および連結ピン６７の周囲を明るく照らすこととすれば、吊持する機器と吊持支持フレーム６０とを連結する作業をより一層容易に行うことができる。
【００４４】
上述した構造を有する本実施形態の吊持装置１００を用いて原子炉内機器を炉外に搬出する際には、原子炉ウエル内を満水状態としつつ、天井クレーンのフック１２により吊り下げた吊持装置１００を原子炉圧力容器の上方に移動させる。
次いで、天井クレーンを操作して昇降デッキ４０の下端が炉水レベルに達するまでホイストデッキ３０を降下させる。
【００４５】
その後、ワイヤロープ式巻上機３４を作動させてワイヤロープ３５を繰り出し、昇降デッキ４０および吊持支持フレーム６０を一体に炉水中に降下させ、原子炉内機器、例えばシュラウドヘッド５の上面に着床させる。
このとき、図３に示した照明灯７０によってガイドプレート６４，６９の周囲が明るく照らし出されているから、原子炉内機器の吊り耳、例えばシュラウドヘッド５の吊り耳にガイドプレート６４を係合させる作業を容易に行うことができる。
【００４６】
そして、シュラウドヘッド５の吊り耳とガイドプレート６４とが係合している状態において、油圧シリンダ６５を作動させてロッド６６を突出させると、連結ピン６７がガイドプレート６４の挿入孔に挿入され、吊持支持フレーム６０とシュラウドヘッド５との連結が完了する。
【００４７】
次いで、ワイヤロープ式巻上機３４を作動させてワイヤロープ３５を巻取ることによりシュラウドヘッド５を圧力容器内から吊り上げる。その後、天井クレーンを用いて吊り上げたシュラウドヘッド５を機器貯蔵プールに移送する。
【００４８】
なお、圧力容器から取り出した原子炉内機器を再び圧力容器内に搬入する際には、上述した手順と逆の手順によって作業を行えばよい。
【００４９】
そして、原子炉内機器を吊持する作業が終了した後には、吊持装置１００を保管場所の床面上に保管する。
このとき、図４に示した変形例の吊持装置１２０のように、保管場所の床面Ｓに着地してホイストデッキ３０を昇降デッキ４０の上方に支持する支持脚３７をホイストデッキ３０に設けておくことが好ましい。
【００５０】
すなわち、この変形例の吊持装置１２０においては、天井クレーンを用いて吊持装置１２０を保管場所の床面Ｓ上に降下させると、まず最初に吊持支持フレーム６０が床面Ｓ上に着地する。
さらに吊持装置１２０を降下させると、吊持支持フレーム６０を吊り下げているワイヤロープ６３が湾曲しつつ昇降デッキ４０が床面Ｓ上に着地する。
次いで、吊持装置１２０をさらに降下させると、昇降デッキ４０を吊り下げているワイヤロープ３５が湾曲しつつホイストデッキ３０に設けた支持脚３７の下端が床面Ｓに当接し、ホイストデッキ３０を昇降デッキ４０の上方に支持する。
これにより、この吊持装置１２０の保管を容易に行うことができる。
また、ホイストデッキ３０と昇降デッキ４０を上下方向に重ねることができるから保管に要するスペースをより一層減少させることができる。
【００５１】
また、本実施形態の吊持装置１００によれば、ワイヤロープ式巻上機３４によって昇降デッキ４０および吊持支持フレーム６０をホイストデッキ３０に対して昇降させることができるから、原子炉ウエルが満水状態であっても、天井クレーンのフック１２やホイストデッキ３０およびワイヤロープ式巻上機３４を炉水中に水没させることなく原子炉内機器を圧力容器内から搬出し、または圧力容器内に搬入することができる。
【００５２】
したがって、原子炉ウエル内で原子炉内機器を昇降させる際に、昇降中の原子炉内機器の高さに合わせて原子炉ウエル内の水位を上下させる必要がないから、原子炉内機器の搬出入作業を迅速に行うことができる。
【００５３】
また、本実施形態による吊持装置１００は、ワイヤロープ式巻上機３４から垂下するワイヤロープ３５によって昇降デッキ４０および吊持支持フレーム６０を吊り下げる構造であるから、図６に示した従来の吊持装置に比べて装置の構造が簡単である。
これにより、作業後に行う吊持装置１００の除染作業の効率を高めることができると共に、除染作業時の作業員の被曝を低減することができる。
【００５４】
以上、本発明に係る原子炉内機器用吊持装置の各実施形態ついて詳しく説明したが、本発明は上述した実施形態によって限定されるものではなく、種々の変更が可能であることは言うまでもない。
例えば、上述した実施形態においては、合計４機のワイヤロープ式巻上機を用いているが、より少ない機数のワイヤロープ式巻上機を用いることもできる。
【００５５】
【発明の効果】
以上の説明から明らかなように、本発明に係る原子炉内機器用吊持装置は、ホイストデッキに設けたワイヤロープ式巻上機によって昇降デッキおよび吊持支持フレームを昇降させる構造であるから、その構造は極めて簡単であり、吊持作業完了後の除染を容易に行うことができる。
また、ワイヤロープ式巻上機の巻取ドラムを複数の駆動手段によって個別に回転駆動するとともに、一つの巻取ドラムに巻き付けた複数のワイヤロープにより昇降デッキを吊り下げる構造であるから、原子炉内機器を確実に吊持することができる。
また、昇降デッキを上側デッキおよび下側デッキに分割するとともに、両者を揺動自在に連結する連結手段より連結する構造であるから、原子炉内機器を傾かせることなく吊持することができる。
また、昇降デッキ他を昇降させるワイヤロープはワイヤロープ式巻上機の巻取ドラムに巻き取ることができるし、昇降デッキから吊持支持フレームを吊り下げる吊下手段もまた容易に湾曲させることができるから、保管に必要なスペースを減少させることができる。
【図面の簡単な説明】
【図１】本発明に係る原子炉内機器用吊持装置の一実施形態を示す要部破断正面図。
【図２】図１の要部を拡大して示す正面図。
【図３】図１に示した吊持装置の変形例を保管状態で示す正面図。
【図４】図１に示した吊持装置の他の変形例を要部正面図。
【図５】沸騰水型原子炉の内部構造を模式的に示す縦断面図。
【図６】従来の原子炉内機器用吊持装置を示す正面図。
【符号の説明】
１  炉心
２  炉心支持板
３  上部格子板
４  炉心シュラウド
５  シュラウドヘッド
６  スタンドパイプ
７  気水分離器
８  シュラウドヘッドボルト
１１  従来の吊持装置
１２  天井クレーンのフック
１８  昇降用駆動軸
３０  ホイストデッキ
３４  ワイヤロープ式巻上機
３５  ワイヤロープ
３６  シーブ
３７  支持脚
４０  昇降デッキ
４１  上側デッキ
４２  下側デッキ
５０  連結手段
５１  第１の揺動軸
５２  第２の揺動軸
５３  連結体
６０  吊持支持フレーム
６１  フレーム本体
６２  隅角部
６３  ワイヤロープ
６４  ガイドプレート
６５  油圧シリンダ
６６  ロッド
６７  連結ピン
６８  ガイドロッド
６９  ガイドプレート
７０  照明灯（照明手段）
１００  本発明による一実施形態の原子炉内機器用吊持装置
【図１】
2004205459.tif 000003
【図２】
2004205459.tif 000004
【図３】
2004205459.tif 000005
【図４】
2004205459.tif 000006
【図５】
2004205459.tif 000007
【図６】
2004205459.tif 000008